(57)【要約】【課題】被収容物を加熱したときの蒸気を排気できるとともに、虫又は埃が侵入しにくい蓋及び容器を提供する。【解決手段】食品が入った容器１００を電子レンジで加熱すると蒸気が発生する。蒸気は、蓋１２０の上面部１２３を押圧する。この押圧により、湾曲部１２３Ｃのうち、切れ込み１２３ＣＡの右の第１領域Ｘ１が上方に膨らむように変形する。一方、切れ込み１２３ＣＡを挟んで第１領域Ｘ１の反対側に位置する壁１２３Ｄは、上下方向に延びているため、上方に膨らむことが抑制される。切れ込み１２３ＣＡと壁１２３Ｄとに挟まれた第２領域Ｘ２は、壁１２３Ｄに繋がっている。従って、第２領域Ｘ２は、第１領域Ｘ１ほど変形しない。第１領域Ｘ１の上方への膨らみ度合いと、第２領域Ｘ２の上方への膨らみ度合いとの差により、切れ込み１２３ＣＡが開口する。当該開口により、蒸気は、容器１００の外部に排気される。【選択図】図４
2019147574.tif 000002
【特許請求の範囲】
【請求項１】
被収容物を収容する容器に使用される蓋であって、
前記容器の内側に湾曲し、前記被収容物を加熱したときに発生する蒸気により少なくとも一部が前記容器の外側に膨らむ湾曲部を備え、
前記湾曲部又は前記湾曲部に繋がるシート状部分に切れ込みが形成されており、
前記切れ込みは、前記被収容物を加熱する前は閉じており、前記蒸気により前記湾曲部の前記少なくとも一部が前記容器の前記外側に膨らむことにより開口して前記蒸気を排気する、
蓋。
【請求項２】
前記湾曲部の形状は、前記容器の前記内側に凸のドーム形状の少なくとも一部である、
請求項１に記載の蓋。
【請求項３】
前記湾曲部よりも前記蒸気に対する剛性が高い高剛性部をさらに備え、
前記切れ込みは、前記湾曲部の前記少なくとも一部と、前記高剛性部と、の間に配置されており、
前記湾曲部の前記少なくとも一部が、前記蒸気により前記高剛性部よりも膨らむことで、前記切れ込みを構成している縁のうち、前記湾曲部の前記少なくとも一部側の縁と、前記高剛性部側の縁とがずれ、前記切れ込みが開口する、
請求項１又は２に記載の蓋。
【請求項４】
前記切れ込みは、中央が両端よりも前記高剛性部側に位置している形状である、
請求項３に記載の蓋。
【請求項５】
前記高剛性部は、前記湾曲部の前記少なくとも一部が膨らむ方向に延びた壁を備える、
請求項３又は４に記載の蓋。
【請求項６】
請求項１から５のいずれか１項に記載の蓋を備える容器。
【請求項７】
被収容物を収容する容器であって、
前記容器の内側に湾曲し、前記被収容物を加熱したときに発生する蒸気により少なくとも一部が前記容器の外側に膨らむ湾曲部を備え、
前記湾曲部又は前記湾曲部に繋がるシート状部分に切れ込みが形成されており、
前記切れ込みは、前記被収容物を加熱する前は閉じており、前記蒸気により前記湾曲部の前記少なくとも一部が前記容器の前記外側に膨らむことにより開口して前記蒸気を排気する、
容器。
【発明の詳細な説明】
【技術分野】
【０００１】
本発明は、食品等を収容する容器の蓋及び容器に関する。
【背景技術】
【０００２】
食品等の被収容物を収容する容器には、被収容物を加熱したときに発生する蒸気を排気する機能を備えるものがある。特許文献１には、容器の天面に設けた舌片部（特許文献１の符号１１参照）により蒸気を排気する容器が開示されている。
【先行技術文献】
【特許文献】
【０００３】
【特許文献１】特開２００７−１９１１６１号公報
【発明の概要】
【発明が解決しようとする課題】
【０００４】
特許文献１に記載の舌片部は、被収容物を加熱する前から上方に反り上がるように加工されている。仮に、舌片部が反り上がっていないとすると、被収容物を加熱したときに蒸気が発生しても、当該舌片部が反り上がらず、当該蒸気が容器外部に排気されないという不都合が生じる（この場合、蓋が容器本体から外れてしまうことがある）。他方、舌片部が、被収容物を加熱する前から上方に反り上がっていると、舌片部と天面部との間に形成された隙間から虫又は埃が侵入してしまう恐れがある。
【０００５】
本発明は、被収容物を加熱したときの蒸気を排気できるとともに、虫又は埃が侵入しにくい蓋及び容器を提供することを目的とする。
【課題を解決するための手段】
【０００６】
上記目的を達成するため、本発明の第１の観点に係る蓋は、
被収容物（例えば、食品）を収容する容器（例えば、容器１００）に使用される蓋（例えば、蓋１２０、２２０、３２０、４２０、６２０、７２０、８２０、９２０）であって、
前記容器の内側（例えば、下方）に湾曲し、前記被収容物を加熱したときに発生する蒸気により少なくとも一部（例えば、第１領域Ｘ１）が前記容器の外側（例えば、上方）に膨らむ湾曲部（例えば、湾曲部１２３Ｃ、２２３Ｃ、４２３Ｃ）を備え、
前記湾曲部又は前記湾曲部に繋がるシート状部分（例えば、平面部４２３Ｆ）に切れ込み（例えば、切れ込み１２３ＣＡ、２２３ＣＡ、３２３ＣＡ、３２３ＣＢ、４２３ＦＡ、６２３ＣＡ、７２３ＣＡ）が形成されており、
前記切れ込みは、前記被収容物を加熱する前は閉じており、前記蒸気により前記湾曲部の前記少なくとも一部が前記容器の前記外側に膨らむことにより開口して前記蒸気を排気する（例えば、図４、図５、図７参照）、
蓋。
【０００７】
前記湾曲部の形状は、前記容器の前記内側に凸のドーム形状の少なくとも一部である（例えば、蓋１２０、蓋２２０、蓋３２０、蓋４２０、６２０、７２０、８２０、９２０）、
ようにしてもよい。
【０００８】
前記湾曲部よりも前記蒸気に対する剛性が高い高剛性部（例えば、壁１２３Ｄ、リブ８２９、リブ９２９）をさらに備え、
前記切れ込みは、前記湾曲部の前記少なくとも一部と、前記高剛性部と、の間に配置されており、
前記湾曲部の前記少なくとも一部が、前記蒸気により前記高剛性部よりも膨らむことで、前記切れ込みを構成している縁のうち、前記湾曲部の前記少なくとも一部側の縁（例えば、第１領域Ｘ１の左側の縁）と、前記高剛性部側の縁（例えば、第２領域Ｘ２の右側の縁）とがずれ、前記切れ込みが開口する（例えば、図４、図５参照）、
ようにしてもよい。
【０００９】
前記切れ込みは、中央が両端よりも前記高剛性部側に位置している形状（弓状（例えば、切れ込み６２３ＣＡ）又はＵ字状（例えば、切れ込み７２３ＣＡ））である、
ようにしてもよい。
【００１０】
前記高剛性部は、前記湾曲部の前記少なくとも一部が膨らむ方向に延びた壁（例えば、壁１２３Ｄ、リブ８２９、リブ９２９）を備える、
ようにしてもよい。
【００１１】
上記目的を達成するため、本発明の第２の観点に係る容器は、
上記蓋を備える。
【００１２】
上記目的を達成するため、本発明の第３の観点に係る容器（例えば、容器５００）は、
前記容器の内側（例えば、下方）に湾曲し、前記被収容物を加熱したときに発生する蒸気により少なくとも一部（例えば、第１領域Ｘ１）が前記容器の外側（例えば、上方）に膨らむ湾曲部（例えば、湾曲部１２３Ｃ、２２３Ｃ、４２３Ｃ）を備え、
前記湾曲部又は前記湾曲部に繋がるシート状部分（例えば、平面部４２３Ｆ）に切れ込み（例えば、切れ込み１２３ＣＡ、２２３ＣＡ、３２３ＣＡ、３２３ＣＢ、４２３ＦＡ、６２３ＣＡ、７２３ＣＡ）が形成されており、
前記切れ込みは、前記被収容物を加熱する前は閉じており、前記蒸気により前記湾曲部の前記少なくとも一部が前記容器の前記外側に膨らむことにより開口して前記蒸気を排気する（例えば、図４、図５、図７参照）。
【発明の効果】
【００１３】
本発明によれば、被収容物を加熱したときの蒸気を排気できるとともに、虫又は埃が侵入しにくい蓋及び容器を提供できる。
【図面の簡単な説明】
【００１４】
【図１】本発明の一実施の形態に係る容器の斜視図。
【図２】本発明の一実施の形態に係る容器の平面図。
【図３】図２のＡ−Ａ断面図。
【図４】図１の容器の切れ込みが開口したときの様子を示す斜視図。
【図５】図１の容器の切れ込みが開口するときの様子を示す断面図。
【図６】変形例に係る蓋の斜視図。
【図７】図６の切れ込みが開口するときの様子を示す断面図。
【図８】他の変形例に係る蓋の斜視図。
【図９】他の変形例に係る容器の断面図。
【図１０】他の変形例に係る容器の斜視図。
【図１１】他の変形例に係る容器の平面図。
【図１２】他の変形例に係る容器の断面図。
【発明を実施するための形態】
【００１５】
以下、本発明の一実施形態に係る容器１００について、図面を参照しながら説明する。
【００１６】
（容器１００の構造）
容器１００は、図１〜図３に示すように食品が入れられる容器本体１１０と、容器本体１１０に被さる蓋１２０と、を備える。容器１００は、牛丼、中華丼、カレーなどの食品を収容する。
【００１７】
容器本体１１０は、紙製カップであり、円筒状の筒体１１１に底１１２を設けた上端開口のカップ形状を有する。容器本体１１０の材料には、食品の液体が容器本体１１０に染みないよう、樹脂によりコーティングされた紙が使用されている。筒体１１１の上端は、外側に向けてカールしている。当該カールしている部分を、カール部１１１Ａともいう。
【００１８】
蓋１２０は、容器本体１１０に入れられた食品を確認できるよう透明である方が望ましい。蓋１２０は、厚さが一定のシートを屈曲させた立体的な形状に形成されている（なお、厚さは、一定でなくてもよい。）。蓋１２０は、熱可塑性樹脂等により形成されており、柔軟性を有する。蓋１２０は、外縁部１２１と、支持部１２２と、上面部１２３と、を有する。蓋１２０全体（つまり、外縁部１２１、支持部１２２、及び、上面部１２３）は、射出成形、圧空成型、真空成型等により、一体的に形成されている。蓋１２０は、後述のように、食品を加熱したときに発生する蒸気により変形可能な厚さで形成されている。
【００１９】
外縁部１２１は、蓋１２０が容器本体１１０から外れないよう、容器本体１１０の上端と係合する。外縁部１２１は、円環状の形状を有し、容器本体１１０のカール部１１１Ａを覆う。外縁部１２１は、内側に突出した凸部１２１Aを有する。凸部１２１Ａは、カール部１１１Ａに係合し（ここでは、引っ掛かり）、蓋１２０が容器本体１１０から外れることを防止する。
【００２０】
支持部１２２は、筒状の形状を有し、外縁部１２１の内周縁から上方に延びている。支持部１２２は、その内側に位置する上面部１２３を、外縁部１２１及び容器本体１１０よりも上方、かつ、支持部１２２の上端面１２２Ａよりも下方の位置で、支持している。
【００２１】
上面部１２３は、蓋１２０の上面（ここでは、上端面１２２Ａから下方に下がった面）を形成している部分である。上面部１２３は、縁部１２３Ａと、平面部１２３Ｂと、湾曲部１２３Ｃと、壁１２３Ｄと、を備える。
【００２２】
縁部１２３Ａは、円環状で平坦なドーナツ板形状であり、外周縁が支持部１２２と繋がっており、内周縁が平面部１２３Ｂ及び湾曲部１２３Ｃと繋がっている。なお、図１及び２の一点鎖線は、縁部１２３Ａと平面部１２３Ｂとの境界を示すために描かれた線であり、実際には無い線である。
【００２３】
平面部１２３Ｂと湾曲部１２３Ｃとは、全体として、平面視したとき（上方から見たとき）に円形（図２の一点鎖線、及び、湾曲部１２３Ｃと縁部１２３Ａとの境界線からなる円参照）である円形部Ｃを構成している。
【００２４】
平面部１２３Ｂは、平坦なシート形状である。平面視したときの平面部１２３Ｂの形状は、円（縁部１２３Ａの内周縁）を当該円の中心よりも左側の所定位置で前後方向に切った後の左側の部分の形状である。
【００２５】
平面視したときの湾曲部１２３Ｃの形状は、前記の円を前記の所定位置で前後方向に切った後の右側の部分の形状である。湾曲部１２３Ｃは、円形部Ｃの中心に向かって徐々に深くなる形状であり、シートを下側に湾曲させた形状を有する。具体的に、湾曲部１２３Ｃは、平面視したときの円形部Ｃの中心位置が底になるような下に凸のドーム形状（半球を上下方向に押しつぶした形状）を前記の所定位置で上下方向かつ前後方向に延びた面（壁１２３Ｄ）により切った形状に湾曲している。このように、湾曲部１２３Ｃは、ドーム形状の一部の形状を有する。なお、湾曲部１２３Ｃは、半球面形状（ドーム形状の一態様）の一部の形状であってもよい。ドーム形状とは、シートを所定方向に膨らませた湾曲形状であればよい。
【００２６】
湾曲部１２３Ｃは、壁１２３Ｄ近傍に当該壁１２３Ｄ（前後方向）に沿って延びた切れ込み１２３ＣＡを有する。切れ込み１２３ＣＡは、カッター、トムソン刃、彫刻刀、ピナクル刃等を湾曲部１２３Ｃに切り込むことで、もしくはレーザー等により形成される。切れ込み１２３ＣＡは、直線状に形成されている。切れ込み１２３ＣＡは、湾曲部１２３Ｃを貫通している。切れ込み１２３ＣＡは、通常（つまり、食品を加熱する前）閉じているが、食品を加熱したときに開いて蒸気を排気する（詳細は後述）。閉じている状態の切れ込み１２３ＣＡは、異物・虫等が入らない程度の幅のスリットでもよいし、切れ込み１２３ＣＡを構成している、湾曲部１２３Ｃの２つの断面（切れ込み１２３ＣＡの内面）が接触している態様であってもよい。
【００２７】
壁１２３Ｄは、前後方向及び上下方向に延びた平坦なシート形状である。壁１２３Ｄは、平面部１２３Ｂと湾曲部１２３Ｃとに繋がっている。壁１２３Ｄの上辺は、直線であり、下辺（上辺の両端部に繋がった辺）は、下側に湾曲している。壁１２３Ｄにより、上面部１２３には、平面部１２３Ｂを上段、湾曲部１２３Ｃを下段とする段差が形成されている。
【００２８】
（容器１００の作用）
食品が入った容器１００を電子レンジで加熱すると蒸気が発生する。当該蒸気は、蓋１２０の上面部１２３を押圧する。この押圧により、図４及び図５（Ｂ）に示すように、湾曲部１２３Ｃのうち、切れ込み１２３ＣＡの右の第１領域Ｘ１が上方に膨らむように変形する。なお、蓋１２０は、熱可塑性樹脂により形成されているため、蒸気の熱により変形しやすく、また蒸気圧で変形しやすいように厚みも調節されている。このため、蓋１２０は、スムーズに変形できる。湾曲部１２３Ｃに繋がっており、切れ込み１２３ＣＡを挟んで第１領域Ｘ１の反対側に位置する壁１２３Ｄは、上下方向に延びているため、上方に膨らむことが抑制されている。つまり、壁１２３Ｄは、湾曲部１２３Ｃ、特に、第１領域Ｘ１よりも、前記の蒸気に対して高い剛性を有する。切れ込み１２３ＣＡと壁１２３Ｄとに挟まれた第２領域Ｘ２は、壁１２３Ｄに繋がっているため、壁１２３Ｄにより補強され、壁１２３Ｄと同様に、第１領域Ｘ１よりも前記の蒸気に対して高い剛性を有する。従って、第２領域Ｘ２は、第１領域Ｘ１ほど変形しない（上方に移動しない及び膨らまない）。ここで、第１領域Ｘ１と第２領域Ｘ２とは、切れ込み１２３ＣＡにより分断されている。従って、第１領域Ｘ１は、壁１２３Ｄがあっても、上方に膨らむことができ、第２領域Ｘ２は、第１領域Ｘ１が膨らんでも、第１領域Ｘ１ほど変形しない。第１領域Ｘ１は、切れ込み１２３ＣＡから、縁部１２３Ａと湾曲部１２３Ｃとの境界に達する左右方向に延びた領域である。第１領域Ｘ１は、下に湾曲しているため、前記の境界を支点に、上方に反転するように（つまり、上に湾曲するように）、上方に膨らむ。第１領域Ｘ１の上方への膨らみ度合いと、第２領域Ｘ２の上方への膨らみ度合い（ほぼ変形しない）との差により、第１領域Ｘ１の左側の縁、つまり、切れ込み１２３ＣＡを構成する第１領域Ｘ１側の縁と、第２領域Ｘ２の右側の縁、つまり、切れ込み１２３ＣＡを構成する第２領域Ｘ２側の縁と、が上下方向にずれ、切れ込み１２３ＣＡが開口する。当該開口により、前記の蒸気は、容器１００の外部に排気される。
【００２９】
（この実施の形態による効果）
この実施の形態では、切れ込み１２３ＣＡを開口させるための湾曲部１２３Ｃが、下側（容器１００の内側）に湾曲しており、当該湾曲部１２３Ｃを平坦としたときよりも、蒸気により押圧される面積が大きく、変形しやすい。従って、この実施の形態では、食品を加熱したときに発生する蒸気により、湾曲部１２３Ｃを容易に変形させることができ、湾曲部１２３Ｃの一部である第１領域Ｘ１を上方（容器１００の外側）に容易に膨らませることができる。切れ込み１２３ＣＡは、第１領域Ｘ１の膨らみに連動して開口するので、この実施の形態では、前記の蒸気を確実に排気できる。さらに、切れ込み１２３ＣＡは、食品の加熱前は閉じており、加熱前における当該切れ込み１２３ＣＡからの虫又は埃の侵入を防止することができる。
【００３０】
また、この実施の形態の蓋１２０は、上記のような上方に反り上がった舌片部を採用した従来の蓋よりも、下記のような利点がある。例えば、従来の蓋及び蓋１２０は、容器本体とは別に製造され、重ねられて輸送される。従来の蓋では、輸送中に舌片部が他の蓋に引っ掛かって、舌片部又はその周辺部に亀裂又は割れが生じることがある。一方、蓋１２０は、舌片部の代わりに、加熱前（つまり輸送時）は閉じている切れ込み１２３ＣＡを有するため、前記の不都合の発生を防止できる。また、舌片部を有する従来の蓋を使用した容器を、フィルムによりシュリンク包装する場合、舌片部がフィルムに引っ掛かって、フィルムが裂ける、又は、舌片部又はその周辺部に亀裂又は割れが生じることがある。一方、蓋１２０は、舌片部の代わりに、加熱前（つまりシュリンク包装時）は閉じている切れ込み１２３ＣＡを有するため、前記の不都合の発生を防止できる。
【００３１】
また、支持部１２２は、上面部１２３を、支持部１２２の上端面１２２Ａよりも下方の位置で、支持するので、例えば、容器１００をフィルムによりシュリンク包装した場合に、第１領域Ｘ１の前記蒸気による上方への膨らみが前記フィルムにより阻害されることが防止される（第１領域Ｘ１とフィルムとに距離があるため）。
【００３２】
湾曲部１２３Ｃの形状を、下（容器１００の内側）に凸のドーム形状の一部（特に、ドームの底を有する一部）としている。このため、湾曲部１２３Ｃは、前記蒸気を受けて第１領域Ｘ１が反転するように変形できるため、切れ込み１２３ＣＡを容易に開口させることができる。第１領域Ｘ１は、ドーム形状の底部分を有する領域となっているので、反転するような変形が容易となっている。
【００３３】
切れ込み１２３ＣＡの両側に位置する第１領域Ｘ１と第２領域Ｘ２との剛性の違い（膨らみやすさの違い）により、第１領域Ｘ１は、第２領域Ｘ２よりも、変形しやすく、その結果、前記の蒸気が発生したときには、当該蒸気により、第１領域Ｘ１が第２領域Ｘ２よりも大きく変形するので、切れ込み１２３ＣＡを上下方向に開口させやすい。また、その開口面積も大きい。従って、前記の蒸気を確実に排気できる。
【００３４】
また、第１領域Ｘ１よりも前記の蒸気に対する剛性の高い高剛性部として、壁１２３Ｄを採用したので、当該高剛性部を容易に形成できる。さらに、壁１２３Ｄ及び湾曲部１２３Ｃを一体的に形成しているので、蓋１２０の形成も容易である。また、湾曲部１２３Ｃを熱可塑性樹脂により形成しているので、前記の蒸気の熱によりある程度柔らかくなり、第１領域Ｘ１の外側への膨らみ、つまり、切れ込み１２３ＣＡの開口及び前記の蒸気の排気がスムーズである。
【００３５】
（変形例）
本発明は、上記実施の形態に限定されない。上記の実施の形態について、種々の変形を適用してもよい。以下、変形例を例示するが、各変形例の少なくとも一部同士を組みあわせてもよい。なお、以下では、上記実施の形態で説明したものと同じ、同等、又は、対応するものについては、同じ符号を付している。
【００３６】
（変形例１）
蓋１２０の代わりに、図６及び図７（Ａ）に示すような蓋２２０を採用してもよい。蓋２２０は、外縁部１２１及び支持部１２２を有するとともに、上面部１２３の代わりに上面部２２３を有する。上面部２２３は、平面部１２３Ｂ、湾曲部１２３Ｃ、及び、壁１２３Ｄの代わりに、湾曲部２２３Ｃを有する。つまり、上面部２２３は、縁部１２３Ａと、湾曲部２２３Ｃとを有する。湾曲部２２３Ｃは、平面視したときに円形の形状を有し、下に凸のドーム形状を有する。湾曲部２２３Ｃは、その中央部分に、直線状の切れ込み２２３ＣＡを有する。このような場合、湾曲部２２３Ｃは、食品を加熱した際に発生する蒸気の力を受けて、そのすべてが上方に反転し、上方に膨らむ。そして、切れ込み２２３ＣＡが開口し（図７（Ｂ））、蒸気が排気される。この湾曲部２２３Ｃのように、そのすべてが外側に膨らむような湾曲部を採用してもよい。このような構成であっても、切れ込み２２３ＣＡが加熱前において閉じた状態であるので、虫又は埃は、当該切れ込み２２３ＣＡから容器１００内部に侵入し難い。閉じている状態の切れ込み２２３ＣＡは、切れ込み１２３ＣＡと同様に、異物・虫等が入らない程度の幅のスリットでもよいし、切れ込み２２３ＣＡを構成している、湾曲部２２３Ｃの２つの断面（切れ込み２２３ＣＡの内面）が接触している態様であってもよい（他の変形例に係る切れ込みも同様）。切れ込み２２３ＣＡは、切れ込み１２３ＣＡと同様の方法により形成される（他の変形例に係る切れ込みも同様）。この変形例のように、蒸気により全体が上方に膨らむように湾曲部２２３Ｃを形成し、湾曲部２２３Ｃ内に切れ込み２２３ＣＡを形成してもよい。
【００３７】
（変形例２）
蓋１２０などの代わりに、図８に示すような蓋３２０を採用してもよい。蓋３２０は、基本的には、蓋２２０と同形状であるが、切れ込みの形状が異なる。蓋３２０は、縁部１２３Ａと、湾曲部２２３Ｃとを有する。湾曲部２２３Ｃは、切れ込み３２３ＣＡ又は切れ込み３２３ＣＢ（破線で示している）を有する。切れ込み３２３ＣＡは、その両端が縁部１２３Ａに達している。切れ込み３２３ＣＡを採用した場合には、変形例１と同様、湾曲部２２３Ｃのすべてが外側に膨らみ、加熱前は閉じていた切れ込み３２３ＣＡが開口する。切れ込み３２３ＣＡのように、湾曲部２２３Ｃに設けられ、蒸気により開口する切れ込みは、その一部が湾曲部２２３Ｃからはみ出したものであってもよい。切れ込みは、切れ込み３２３ＣＡの他、一端が平面視したときの湾曲部２２３Ｃに達し、他端が縁部１２３Ａに達したものであってもよい。切れ込み３２３ＣＡの代わりに、切れ込み３２３ＣＢを採用した場合も同様で、変形例１と同様、湾曲部２２３Ｃのすべてが外側に膨らみ、加熱前は閉じていた切れ込み３２３ＣＢが開口する。切れ込み３２３ＣＢのように、切れ込みは、湾曲部２２３Ｃの中央以外の部分に設けられてもよい。なお、切れ込み３２３ＣＢの位置及び長さを調整することにより、湾曲部２２３Ｃのうち、切れ込み３２３ＣＢと縁部１２３Ａとにより挟まれた部分（湾曲部２２３Ｃの左の部分）を、縁部１２３Ａを介して支持部１２２（上下方向に延びた筒状のため、蒸気に対する剛性が高い）により補強して、蒸気により変形し難いように形成してもよい。これにより、湾曲部２２３Ｃの左の部分と右の部分とで、蒸気による膨らみ度合いを異ならせて、切れ込み１２３ＣＡと同様に、開口面積を大きくとることができる。
【００３８】
（変形例３）
上記各切れ込みは、湾曲部に繋がった平坦なシート状の平面部に形成されてもよい。例えば、図９に示すような蓋４２０を採用してもよい。蓋４２０は、湾曲部１２３Ｃの代わりに、湾曲部４２３Ｃと、平面部４２３Ｆと、を有している。湾曲部４２３Ｃは、湾曲部１２３Ｃをその底よりも左側の所定位置にて前後方向に切ったあとの右側部分の形状、つまり、ドーム形状の一部の形状に湾曲している。平面部４２３Ｆは、平面視したときには湾曲部１２３Ｃを前記所定位置にて前後方向に切ったあとの左側部分の形状を有する。平面部４２３Ｆは、前後左右方向に延びた平坦なシート形状を有する。切れ込み４２３ＦＡは、直線状であり、平面部４２３Ｆに形成されている。このような形状の場合であっても、上記の実施形態と同様に、食品を加熱した際の蒸気により、切れ込み４２３ＦＡが開口できる。具体的には、湾曲部４２３Ｃと平面部４２３Ｆとからなる領域のうち、切れ込み４２３ＦＡの右の部分が、上方に膨らみ、切れ込み４２３ＦＡの左の部分が、前記右の部分（特に、切れ込み４２３ＦＡ近傍部分）ほど上方に膨らまず（上記実施の形態と同様に、当該左の部分が壁１２３Ｄに繋がって補強されているためである）、切れ込み４２３ＦＡは上下方向に開口する。切れ込み４２３ＦＡは、切れ込み４２３ＦＡと湾曲部４２３Ｃとの境界、又は、切れ込み４２３ＦＡ又は湾曲部４２３Ｃにおける当該境界の近傍位置に設けられてもよい。平面部４２３Ｆを、湾曲部４２３Ｃとは異なる曲率で湾曲された湾曲部としてもよい。
【００３９】
（変形例４）
容器１００の代わりに、図１０に示すような容器５００を採用してもよい。この場合、容器５００は、断面四角の筒状の紙パックの両開口を閉じて形成された容器本体５１０を備える。当該容器本体５１０は、容器本体５１０の側壁に設けられた貫通孔５１２を備える。貫通孔５１２は、蓋１２０の上面部１２３によりふさがれている。つまり、容器５００は、容器本体５１０の他に、上面部１２３（蓋１２０から上面部１２３を切り出したもの）を備える。上面部１２３は、容器本体５１０に貼り付けられている（この場合の上面部１２３は容器本体５１０の蓋ともいえる）。このような容器５００が収容する食品は、例えば、断面四角の筒状の紙パックの両開口のうち、右側の開口が閉じられた後、左側の開口から入れられる。食品を入れたあと、左側の開口を閉じ、閉じ口５１１を形成する。これにより、食品が密封される。上面部１２３の作用（蒸気の排気のメカニズム）は、上記実施の形態と同様である。上面部１２３の代わりに、他の変形例の蓋形状を採用してもよい。また、貫通孔５１２を設けず、容器本体５１０に直接湾曲部１２３Ｃと切れ込み１２３ＣＡを設けても良い。例えば、湾曲部１２３Ｃ及び切れ込み１２３ＣＡと、容器本体５１０（例えば、左側が開口した状態のもの）と、を合成樹脂等により一体成形してもよい。
【００４０】
（変形例５）
上記で説明した各部材の形状、材質は適宜変更可能である。例えば、容器本体１１０は、合成樹脂製であってもよい。また、本発明は、平面視したときに楕円形状、四角形状等を有する容器にも適用可能である。本発明は、加熱したときに蒸気（水蒸気、気化したアルコール等）を発生する被収容物（例えば、コーヒー、酒等）を収容する容器全般に適用できる。切れ込み１２３ＣＡ等の各種切れ込みは、湾曲部１２３Ｃ等の湾曲部分と他の部分との境界に形成されてもよい。この場合、切れ込みは、湾曲部分（湾曲部１２３Ｃ等）に形成されていると表現する（つまり、湾曲部分に形成された切れ込みは、当該湾曲部分と他の部分（平坦な部分など）との境界に設けられた切れ込みを含む）。
【００４１】
（変形例６）
切れ込み１２３ＣＡ等の各種切れ込みの形状は、線状であればよく、直線状に限らない（例えば、切れ込み３２３ＣＢも直線状でない例である）。例えば、蓋１２０の代わりに、図１１に示す構造の蓋６２０又は蓋７２０を採用してもよい。蓋６２０及び蓋７２０は、蓋１２０と同様の構造であるが、切れ込みの形状が異なる。蓋６２０は、直線状の切れ込み１２３ＣＡの代わりに、切れ込み６２３ＣＡを有する。切れ込み６２３ＣＡは、中央を含む大部分が壁１２３Ｄと平行で前後方向に延びており、両端部が壁１２３Ｄの反対側に向けて曲がっているＵ字状となっている。なお、切れ込み６２３ＣＡは、両端部が前記の大部分に対して垂直に曲がっていてもよい（このような形状（コの字状）もＵ字状と表現する）。蓋７２０は、直線状の切れ込み１２３ＣＡの代わりに、切れ込み７２３ＣＡを有する。切れ込み７２３ＣＡは、中央から両端に向けて壁１２３Ｄから徐々に遠ざかるように弓状に湾曲している。これらのように、切れ込みの形状を曲線（折れ線を含む。）にすることで、直線にするよりも蒸気による開口面積を大きくすることができる。これは、切れ込みの長手方向（ここでは、前後方向）において同じ長さの直線の切れ込みと、曲線の切れ込みとを考えた場合、曲線の方が切れ込み自体の長さが長いため、切れ込みの開口面積が大きくなるためである。
【００４２】
切れ込み６２３ＣＡ、７２３ＣＡのように、切れ込みの形状として、中央が両端よりも壁１２４（高剛性部）側に位置している形状（例えば、弓状（円弧状も含む）又はＵ字状）を採用すると、切れ込み１２３ＣＡのような直線状の切れ込みを採用したときよりも、湾曲部１２３Ｃ（特に、第１領域Ｘ１）が撓みやすく変形しやすい。従って、前記弓状又はＵ字状の切れ込みは、直線状の切れ込みよりも、蒸気による開口がスムーズであり、かつ、開口面積も大きい。
【００４３】
例えば、高出力の電子レンジにより容器１００内の食品を温めた場合、短時間で蒸気が多量に発生する。この場合、直線状の切れ込み１２３ＣＡ等では、蒸気の排気が充分でない場合がある（蒸気圧により蓋が外れてしまう場合がある）。しかし、切れ込みの形状を上記のようにして開口面積を大きくすると、蒸気を充分に排気できる（蒸気圧により蓋が外れてしまうことを防止できる）。
【００４４】
（変形例７）
湾曲部１２３Ｃ等よりも蒸気に対する剛性が高い高剛性部として、壁１２３Ｄの代わりに、所定の補強部を蓋１２０等に設けてもよい。この場合、湾曲部１２３Ｃ等の平面視形状を円とし、切れ込み１２３ＣＡ等を当該補強部の近くに設けるとよい。そして、補強部を設けることで、切れ込み１２３ＣＡ等の右側部分（例えば第１領域Ｘ１）と左側部分（例えば第２領域Ｘ２）との蒸気による変形の度合いを異ならせ、切れ込み１２３ＣＡ等を開口させてもよい。補強部は、蓋１２０等とは別部材であっても、蓋１２０内に設けられてものであってもよい。
【００４５】
補強部の例を図１２に示す。図１２の蓋８２０及び蓋９２０は、蓋２２０にリブ８２９又はリブ９２９を設けたものである。リブ８２９は、湾曲部２２３Ｃにおける、切り欠き２２３ＣＡ近傍の一部を下側に屈曲させた形状を有する。リブ８２９は、切り欠き２２３ＣＡ近傍に設けられ、下向きの凸部であり、前後方向（図１２の紙面を表裏方向）及び上下方向（湾曲部２２３Ｃが膨らむ方向）に延びている。リブ８２９は、例えば、縁部１２３Ａと湾曲部２２３Ｃとの境界まで延びている。リブ９２９は、湾曲部２２３Ｃにおける、切り欠き２２３ＣＡ近傍に設けられ、上向きの凸部であり、前後方向（図１２の紙面を表裏方向）及び上下方向（湾曲部２２３Ｃが膨らむ方向）に延びている。リブ９２９は、例えば、縁部１２３Ａと湾曲部２２３Ｃとの境界まで延びている。リブ９２９は、シートを屈曲させたリブ８２９の形状とは異なり、中身が詰まっている。なお、リブ８２９を上向きに形成してもよいし、リブ９２９を下向きに形成してもよい。容器１００内の被収容物を加熱すると、蒸気により、湾曲部２２３Ｃのうち切れ込み２２３ＣＡの右の部分が上方に膨らみ、湾曲部２２３Ｃのうち切れ込み２２３ＣＡの左の部分は、リブ８２９又はリブ９２９により補強されているため、前記右の部分ほど変形しない（上方に膨らまない）。これにより、切れ込み２２３ＣＡを構成する２つの縁が上記実施の形態と同様に、上下方向にずれ、切れ込み２２３ＣＡが開口する。なお、リブ８２９又はリブ９２９も、壁１２３Ｄと同様に、上下方向（前記右の部分が膨らむ方向）に延びた壁ともいえる。
【符号の説明】
【００４６】
１００  容器
１１０  容器本体
１１１  筒体
１１１Ａ  カール部
１１２  底
１２０  蓋
１２１  外縁部
１２２  支持部
１２３  上面部
１２３Ａ  縁部
１２３Ｂ  平面部
１２３Ｃ  湾曲部
１２３ＣＡ  切れ込み
１２３Ｄ  壁
Ｘ１  第１領域
Ｘ２  第２領域
２２０、３２０、４２０、６２０、７２０、８２０、９２０  蓋
２２３Ｃ  湾曲部
２２３ＣＡ  切れ込み
３２３ＣＡ、３２３ＣＢ  切れ込み
４２３Ｃ  湾曲部
４２３Ｆ  平面部
４２３ＦＡ  切れ込み
６２３ＣＡ、７２３ＣＡ  切れ込み
８２９、９２９  リブ
５００  容器
５１０  容器本体
５１１  閉じ口
５１２  貫通孔
【図１】
2019147574.tif 000003
【図２】
2019147574.tif 000004
【図３】
2019147574.tif 000005
【図４】
2019147574.tif 000006
【図５】
2019147574.tif 000007
【図６】
2019147574.tif 000008
【図７】
2019147574.tif 000009
【図８】
2019147574.tif 000010
【図９】
2019147574.tif 000011
【図１０】
2019147574.tif 000012
【図１１】
2019147574.tif 000013
【図１２】
2019147574.tif 000014